(57)【要約】【課題】ホスト計算機のディスク定義を変更することなく、新旧ディスク装置間のデータ移行を可能にする。【解決手段】ホスト計算機とデータ移行元ディスク装置の間に、オンラインデータ移行機能を備えたスイッチを介し、ホスト計算機からのディスクアクセスを継続しながら、移行先ディスク装置へのデータのコピーを実行する。データ移行後に、ホスト計算機からディスクを識別するＳＣＳＩコマンドが発行された場合には、移行元ディスク装置の応答を返す。【選択図】  図１
2005018193.tif 000002
【特許請求の範囲】
【請求項１】
１つまたは複数のホスト計算機と、該ホスト計算機に先行して接続された移行元ディスク装置と、上記ホスト計算機にスイッチを介して新たに接続された移行先ディスク装置とを含む計算機システムのディスク装置インタフェースコマンド制御方法において、
上記ホスト計算機と移行元ディスク装置とを、移行先ディスク装置を接続したスイッチを介して切替接続し、
上記スイッチを介して移行元ディスク装置から移行先ディスク装置にデータを移行し
上記のスイッチにより、ホスト計算機からのインタフェースコマンドとしてのディスク識別の問い合わせコマンドとデータの入出力コマンドとを判別し、
該判別されたディスク識別の問い合わせコマンドを移行元ディスク装置に伝達することを特徴とするディスク装置のインタフェースコマンド制御方法。
【請求項２】
上記の移行元ディスク装置から移行先ディスク装置へのデータの移行は、上記のスイッチが備えるオンラインデータ移行機能によって行われることを特徴とする請求項１に記載のディスク装置のインタフェースコマンド制御方法。
【請求項３】
上記の移行元ディスク装置および移行先ディスク装置は、上記の１つまたは複数のホスト計算機からのＳＣＳＩコマンドにより動作し、上記ホスト計算機がディスク装置を識別するために使用するＳＣＳＩコマンドは、データ移行後も移行前と同一のディスク装置として扱えるようにデータ交換を行い、インタフェースコマンドにおけるディスク固有情報における不整合性を回避することを特徴とする請求項１に記載のディスク装置のインタフェースコマンド制御方法
【請求項４】
１つまたは複数のホスト計算機と、該ホスト計算機に先行して接続された移行元ディスク装置と、上記ホスト計算機にスイッチを介して新たに接続された移行先ディスク装置とを含む計算機システムにおいて、
上記ホスト計算機と移行元ディスク装置とを、移行先ディスク装置を接続したスイッチを介して切替接続するアクセス経路と、
上記スイッチを介して移行元ディスク装置から移行先ディスク装置にデータを移行する手段と
上記のスイッチにより、ホスト計算機からのインタフェースコマンドとしてのディスク識別の問い合わせコマンドとデータの入出力コマンドとを判別する手段と、
該判別されたディスク識別の問い合わせコマンドを移行元ディスク装置に伝達するアクセス経路とを有し、
かつ、上記のホスト計算機と移行元ディスク装置、ホスト計算機とスイッチ、スイッチと移行元ディスク装置、スイッチと移行先ディスク装置が、それぞれ少なくとも１つのファイバーチャネルまたはＳＣＳＩで接続されていることを特徴とする計算機システム。
【請求項５】
上記の複数のホスト計算機が少なくともひとつの移行元ディスク装置を共有することを特徴とする請求項４に記載の計算機システム。
【請求項６】
上記のデータ移行後に、移行元ディスク装置をデータ格納のために再利用することを特徴とする請求項４又は５に記載の計算機システム。
【発明の詳細な説明】
【０００１】
【発明の属する技術分野】
本発明は、ディスク装置のオンラインデータ移行の技術、即ち、ホスト計算機の業務をほぼ継続したまま、その業務で処理するデータを格納したディスク装置の内容を移動する技術におけるディスク装置のインタフェースコマンド制御方法および計算機システムに関する。
【０００２】
【従来の技術】
計算機システムにおいて、外部記憶装置として機能しているディスク装置（旧ディスク装置あるいは移行元ディスク装置）を新たに接続したディスク装置（移行先ディスク装置）に更新する場合、それまでの処理で利用していたデータを継続して利用するために、旧ディスク装置内のデータを新ディスク装置内に移し替える（移行（マイグレーション）をおこなう必要がある。このような場合、従来の一般的な方法としては、既存のディスク装置の内容をテープ装置等に一旦バックアップして、ディスク装置の交換後にリストア（書き戻し）する方法が採用されている。あるいは、既存の旧ディスク装置に加えて新ディスク装置も同時にホスト計算機に接続し、ホスト計算機が旧ディスク装置から新ディスク装置へデータを複製する方法も知られている。ただし、これらの方法では、ホスト計算機の業務を長時間停止させることになる。このような長時間業務停止は、無停止運転を特徴とする最近のデータセンター業務では受け入れがたい。
【０００３】
これを改善する手段として、ホスト計算機と旧ディスク装置の間に介在するスイッチに、新ディスク装置を接続して、旧ディスク装置から新ディスク装置にデータを移行する方法が、特許文献１（特開２００１−２４９８５３）において開示されている。このデータ移行方法では、ホスト計算機のディスク装置のアクセスを継続しながら、移行元ディスクから移行先ディスクにデータを複製するユニットがスイッチ（又はストレージシステム）に備えられる。しかし、このデータ移行方法では、既存のホスト計算機と旧ディスク装置の接続を一旦切断し、上記オンラインデータ移行機能を有するスイッチを挿入する必要がある。この際、ホスト計算機と旧ディスク装置の間のアクセス経路が１つしかないと、計算機システムを停止する必要がある。
【０００４】
これに対して、ホスト計算機とディスク装置との間に複数のアクセス経路を持ち、少なくとも１つのアクセス経路を維持しながら無停止でデータ移行を行う方式が、特許文献２（特開平１１−１８４６４１）において開示されている。このデータ移行方法では、ホスト計算機上に備えられた交替パス機能、即ち、ホスト計算機とディスク装置との間の２つ以上のアクセス経路をホスト計算機上で管理してアクセス経路を動的に切り換える機能、によって実現される。しかし、ホスト計算機の交替パス機能には、特定のディスク装置を処理対象として、インタフェース仕様の異なるディスク装置には対応できないものがある。その理由は、交替パス機能が、ディスク装置（ＳＣＳＩ規約ではロジカルユニットと表す）に対する複数のアクセス経路を自動的に識別するために、ディスク装置固有のＳＣＳＩ応答を利用している点にある。即ち、この応答において、インターフェースコマンドにおけるディスク固有情報に整合性が認められない場合はアクセスが拒否されてしまうという問題が生ずることになるためである。
【０００５】
【特許文献１】
特開２００１−２４９８５３
【特許文献２】
特開平１１−１８４６４１
【０００６】
【発明が解決しようとする課題】
上述のような従来技術においては、移行元ディスク装置から移行先ディスク装置に切り換えた時に、ホスト計算機が構成情報として保持している移行元ディスク（装置）の固有情報と、移行先ディスク（装置）の固有情報との間の整合性が必ずしも保証されていないため、この不整合により、ホスト計算機が移行先ディスク装置に障害があると判断してアクセス経路を遮断し、結果として、計算機システムがダウンすることが懸念されるという問題がある。
【０００７】
本発明の目的は、移行元ディスク装置から移行先ディスク装置へのデータ移行手順に伴う上記不整合によるホスト計算機からディスク装置へのアクセスの停止が一切必要なく、無停止でのデータ移行が可能なディスク装置のデータ移行におけるインタフェースコマンド制御技術（制御方法および計算機システム）を提供することにある。
【０００８】
本発明の他の目的は、移行元ディスク装置から移行先ディスク装置への移行に伴うディスク装置固有情報などの変化に起因する障害の発生を回避して、仕様の異なるディスク装置の更新（交換）を可能にするデータ移行におけるインタフェースコマンド制御技術を提供することにある。
【０００９】
本発明の他の目的は、前述の交替パス機能をデータ移行中およびデータ移行後も正常に機能させる事により、アクセス経路の冗長性を維持し、可用性の高い計算機システムのデータ移行におけるインタフェースコマンド制御技術を提供することにある。
本発明の他の目的は、複数のホスト計算機から共有されるディスク装置の移行を、無停止状態で円滑に行うことが可能なディスク装置のデータ移行におけるインタフェースコマンド制御技術を提供することにある。
【００１０】
更なる本発明の目的は、上記磁気ディスク装置のインタフェースコマンド制御方法を適用した計算機システムを提供することにある。
【００１１】
【課題を解決するための手段】
上記目的を達成するために、本発明では、１つまたは複数のホスト計算機と、ホスト計算機に先行して接続されたディスク装置（移行元ディスク装置）と、上記ホスト計算機にスイッチを介して新たに接続されたディスク装置（移行先ディスク装置）とを含む計算機システムの磁気ディスク装置インタフェースコマンド制御方法において、上記ホスト計算機と移行元ディスク装置とを、移行先ディスク装置を接続したスイッチを介して切替接続し、上記スイッチを介して移行元ディスク装置から移行先ディスク装置にデータを移行し、上記のスイッチにより、ホスト計算機からのインタフェースコマンドとしてのディスク識別の問い合わせコマンドとデータの入出力コマンドとを判別し、判別されたディスク識別の問い合わせコマンドを移行元ディスク装置に伝達するようにした。
【００１２】
さらに、上記の移行元ディスク装置から移行先ディスク装置へのデータの移行は、上記のスイッチが備えるオンラインデータ移行機能によって行われるようにした。
【００１３】
また、上記の移行元ディスク装置および移行先ディスク装置は、上記の１つまたは複数のホスト計算機からのＳＣＳＩコマンドにより動作し、上記ホスト計算機がディスク装置を識別するために使用するＳＣＳＩコマンドは、データ移行後も移行前と同一のディスク装置として扱えるようにデータ交換を行うようにした。
【００１４】
さらにまた、上記の複数のホスト計算機が少なくともひとつの移行元ディスク装置を共有するようにし、上記のデータ移行後には、移行元ディスク装置をデータ格納のために再利用するようにした。
【００１５】
【発明の実施の形態】
以下、本発明に係わるディスク装置のインタフェースコマンド制御方法および計算機システムを、図１〜図９に示した発明の実施の形態を参照してさらに詳細に説明する。
（１）  計算機システム構成
図１（ａ）に、データ移行を行う前の計算機システム構成例を示す。ホスト計算機１は、移行元ディスク装置２にアクセス経路３および４を用いて接続されている。アクセス経路３および４は、ＳＣＳＩ規格に基づくパラレルＳＣＳＩまたはファイバーチャネルである。
【００１６】
図１（ｂ）は、データ移行中および移行後の計算機システム構成例である。スイッチ５は、ホスト計算機１とアクセス経路３ａおよび４ａを用いて接続され、移行元ディスク装置２とはアクセス経路３ｂおよび４ｂを用いて接続される。アクセス経路３ａおよび４ａならびに３ｂおよび４ｂはＳＣＳＩ規格に基づくパラレルＳＣＳＩまたはファイバーチャネルである。この３ａおよび４ａならびに３ｂおよび４ｂが切替接続後のアクセス経路である。
【００１７】
また移行先ディスク装置６とスイッチ５とは、アクセス経路７および８で接続される。アクセス経路７および８は、ＳＣＳＩ規格に基づくパラレルＳＣＳＩまたはファイバーチャネルである。なお、本発明は、移行元ディスク装置２から移行先ディスク装置６へデータ移行するというものであるから、本発明を実施する上で、ホストの台数は制限されない。
【００１８】
ホストインタフェース制御部９は、ポート１５および１６を介して、アクセス経路３ａおよび４ａに接続されており、ホスト計算機１とのＳＣＳＩコマンドの受信と送信を制御する。またホストインタフェース制御部９は、ディスクインタフェース制御部１３および１４とＲｅｓｅｒｖｅ模擬部１０に、それぞれ内部パス２１，２９，２２で接続されている。
【００１９】
ディスクインタフェース制御部１３は、ポート１７および１８を介して、アクセス経路３ｂおよび４ｂに接続されており、移行元ディスク２とのＳＣＳＩコマンドの受信と送信を制御する。またディスクインタフェース制御部１３は、Ｒｅｓｅｒｖｅ模擬部１０とＳＣＳＩコマンド制御部１１とオンラインデータ移行部１２に、それぞれ内部パス２３，２５，２７で接続されている。
【００２０】
ディスクインタフェース制御部１４は、ポート１９および２０を介して、アクセス経路７および８に接続されており、移行先ディスク６とのＳＣＳＩコマンドの受信と送信を制御しする。またディスクインタフェース制御部１４は、ＳＣＳＩコマンド制御部１１とオンラインデータ移行部１２に、それぞれ内部パス２６，２８で接続されている。
【００２１】
Ｒｅｓｅｒｖｅ模擬部１０は、ホスト計算機１が発行したＳＣＳＩコマンドを、ホストインタフェース制御部９から内部パス２２を介して受け取り、リザーブおよびリリースに係わるＳＣＳＩコマンドに従って、ホスト計算機からのアクセスに対する排他制御を行う。（図１（ｂ）の実施例では、１台のホスト計算機１を表しているが、本発明では接続するホスト計算機の台数に制限は無い。）
ＳＣＳＩコマンド制御部１１は、ホスト計算機１からのＳＣＳＩコマンドを、ホストインタフェース制御部９およびＲｅｓｅｒｖｅ模擬部１０を介して受領し、ディスクインタフェース制御部１３および１４を介して、移行元ディスク装置２および移行先ディスク装置６にＳＣＳＩコマンドを受け渡す。また逆の経路で、移行元ディスク装置２および移行先ディスク装置６からの応答を、ホスト計算機１に受け渡す。ＳＣＳＩコマンド制御部１１は、ホスト計算機１からのＳＣＳＩコマンドを分別して、移行元ディスク装置２または移行先ディスク装置６に受け渡す機能を持っている。その動作は、図３および図４を用いて後述する。
【００２２】
図１（ｂ）のオンラインデータ移行部１２は、ディスク装置に格納されているデータを自律的に複製する機能を持っており、データ移行においては、移行元ディスク装置２からディスクインタフェース制御部１３を介してデータを読み込み、移行先ディスク装置６にディスクインタフェース制御部１４を介してデータを書き込む。
【００２３】
（２）  データ移行におけるインタフェースコマンド制御の手順
図１に例示された構成の計算機システムにおけるデータ移行処理の一例を、図５および図６のフローチャートを用いて説明する。図５は図１の実施の形態において、ステップ５１、５２、５３、５４、５５の順にデータ移行の工程が進むことを示しており、後述の説明において（ステップ５１）、（ステップ５２）、．．、（ステップ５５）と付記している。また、図６は、図５のステップ５２で実行する保守員の操作の手順６１〜６４を示している。
【００２４】
データ移行の開始前は、図１（ａ）に示したように、ホスト計算機１はアクセス経路３および４を用いて移行元ディスク２をアクセスしている。
まず、保守員は、移行先ディスク装置６をスイッチ５に、アクセス経路７および８を用いて接続する（ステップ５１）。
次に、保守員は、移行元ディスク装置２をスイッチ５に接続するために、図６に示した手順６１〜６４に従って操作する（ステップ５２）。保守員は、アクセス経路４を新しいアクセス経路４ａおよび４ｂに切替接続する（ステップ５２の手順６１）。この時ホスト計算機１は、アクセス経路４の切替を検出して、アクセス経路４をオフライン状態にして、アクセス経路３を用いて移行元ディスク装置２のアクセスを継続している。次に、ホスト計算機１を操作して、アクセス経路４ａをオンライン状態にする（ステップ５２の手順６２）。
【００２５】
図２は、この時の状態を示しており、ホスト計算機１と移行元ディスク装置２とは、ＳＣＳＩデータの経路３０および３１で論理的に接続されている。
次に、アクセス経路３を新しいアクセス経路３ａおよび３ｂに切替接続する（ステップ５２の手順６３）。次に、ホスト計算機１を操作して、アクセス経路３ａをオンライン状態にする（ステップ５２の手順６２）。
これで、ホスト計算機１とスイッチ５と移行元ディスク２は、図１ｂに示す結線状態となり、ホスト計算機１はスイッチ５を介して移行元ディスク装置２にアクセスする。
【００２６】
次に、図５のステップ５３では、ＳＣＳＩのＲｅｓｅｒｖｅに係わる処理を、移行元ディスク装置２からＲｅｓｅｒｖｅ模擬部１０に移行する。具体的には、Ｒｅｓｅｒｖｅ模擬部１０は内部パス２３を通じて移行元ディスク装置２にアクセスし、移行元ディスク装置２のリザーブ状態を調べ、その状態をＲｅｓｅｒｖｅ模擬部１０の初期状態とした後、移行元ディスク装置２のリザーブ状態を解除する。それ以降は、ホストから受領するＲｅｓｅｒｖｅやＲｅｌｅａｓｅなどのリザーブに係わるＳＣＳＩコマンドの処理、およびリザーブされているディスクに対する別のホスト計算機（別のイニシエータ）からのアクセスの排他処理を、Ｒｅｓｅｒｖｅ模擬部１０で行う。このステップ５３の処理における移行元ディスク装置のリザーブ状態の解除は、オンラインデータ移行（ステップ５４）を実行する前に行う必要がある。即ち、ホスト計算機からのＲｅｓｅｒｖｅコマンドによって移行元ディスク装置２がリザーブされた状態では、オンラインデータ移行のために移行元ディスク装置２からデータを読み出す処理に支障が生じるからである。そこで、オンラインデータ移行部１２の上位にＲｅｓｅｒｖｅ模擬部１０を備えることにより、移行元ディスク装置をリザーブせずにアクセスすることができる。
【００２７】
次に、オンラインデータ移行部１２が移行元ディスク装置２から移行先ディスク装置６へのデータのコピーを実行する（ステップ５４）。ここで、図３を用いて、データ移行中の主要なデータの流れについて説明する。ホスト計算機１と移行元ディスク装置２とは、ＳＣＳＩデータの経路３２により論理的に接続された状態にあり、ホスト計算機１からの移行元ディスク装置２のアクセスが継続されている。また、これと並行して、オンラインデータ移行部１２は、ＳＣＳＩデータの経路３３で示すように、移行元ディスク装置２から移行先ディスク装置６へのデータのコピーを実行する。
【００２８】
次に、オンラインデータ移行の処理が終了すると、ＳＣＳＩコマンド制御部１１は、ホスト計算機１からのディスクのＲｅａｄおよびＷｒｉｔｅに係わるＳＣＳＩコマンドを、移行先ディスク６へ切り換える（ステップ５５）。ここで、図４を用いて、データ移行後の主要なデータの流れについて説明する。ホスト計算機１が発行したＲｅａｄおよびＷｒｉｔｅに係わるＳＣＳＩコマンドは。図４のＳＣＳＩデータ経路３５で示すように、ＳＣＳＩコマンド制御部１１から内部パス２６およびディスクインタフェース制御部１４を介して、移行先ディスク装置６に受け渡される。移行元ディスク装置２に対しては、ホスト計算機１からの  ＲｅａｄおよびＷｒｉｔｅに係わるＳＣＳＩコマンドは発行されない。
【００２９】
また、ホスト計算機１が発行するディスク装置を識別するためのＳＣＳＩコマンド、即ち、ＩｎｑｕｉｒｙコマンドおよびＳＣＳＩ標準仕様で規定されていないＭｏｄｅ  Ｓｅｎｓｅ系のＳＣＳＩコマンドについては、ＳＣＳＩコマンド制御部１１がこれを判別して、移行元ディスク装置２に引き続き発行する（図４のＳＣＳＩデータ経路３４で示す）。これにより、実際のＲｅａｄおよびＷｒｉｔｅに係わる処理は移行先ディスク装置６で行われるが、ホスト計算機１は、移行元ディスク装置２が相変わらず接続されていると認識するので、無停止でデータ移行を完了することができる。
【００３０】
かかるデータ移行が、複数のホスト計算機により実行された場合、移行元磁気ディスク装置は、複数のホスト計算機に共有されている。また、移行元磁気ディスク装置は複数になった場合は、共有される磁気ディスク装置も複数となる。
【００３１】
図７には、ＳＣＳＩコマンド種別テーブルを示した。このテーブルでＳＣＳＩコマンド名「Ｉｎｑｕｉｒｙ」（オペレーションコード１２Ｈ）およびＳＣＳＩ標準仕様で規定されていない「Ｍｏｄｅ  Ｓｅｎｓｅ」（オペレーションコード１ＡＨ系のＳＣＳＩコマンドはディスク装置固有に設定されるコマンド種である。磁気ディスク装置間のデータ移行後のデータアクセスにおいて、かかるコマンド種の不一致がディスク交換情報の不整合性としてホスト計算機に認識され、移行後のデータへのアクセスが拒否される懸念があった。しかし、本発明のインターフェースコマンド制御方法および計算機システムによれば、かかる不整合性の認識は回避され、移行後のデータアクセスが円滑に行われることが確認された。
【００３２】
図８には、かかる不整合性認識を回避する本発明のインターフェースコマンド制御方法の具体的手順が示してある。
【００３３】
図９には、本発明の計算機システムにおける磁気ディスク装置固有に設定されるコマンド種に対応する固有情報がメモリとして記憶されている状況を示した。
【００３４】
上記実施例では、データ移行に際してスイッチ５を用いる例を挙げたが、本発明は、この例に限らず、ディスク装置、またはディスクコントローラ（図９の移行元ディスク装置に固有な情報２０１、メモリ２０２、ポート制御部２０３、ＣＰＵ２０４及びディスク制御部２０５からなる部分の総称）を用いてデータ移行を行うことも好ましい。
【００３５】
以上説明したように、本発明では、移行元ディスク装置から移行先ディスク装置へのデータ移行手順においてホスト計算機からディスク装置へのアクセスの停止が一切必要なく、無停止でのデータ移行が可能となる。
【００３６】
さらに、移行元ディスク装置から移行先ディスク装置への移行に伴うディスク装置固有情報などの変化に起因する障害の発生を回避できるので、仕様の異なるディスク装置への交換が完全無停止で可能となる。
【００３７】
また、ホスト計算機とスイッチ、スイッチとディスク装置間のアクセス経路の冗長性を維持し、可用性の高い計算機システムのデータ移行とデータ移行後の運用が可能になる。
【００３８】
さらに、複数のホスト計算機から共有されるディスク装置の場合でも、リザーブの処理を模擬する機能を備えることで、完全無停止なシステム以降が可能となる。
【００３９】
以上本発明者によって成された発明を実施の形態に基づき具体的に説明したが、本発明は前記実施の形態に限定されるものではなく、その要旨を逸脱しない範囲で種々変更可能であることはいうまでもない。
【００４０】
たとえばスイッチの機能としてのデータ移行の例を説明したが、同等の機能を内包するディスクアレイ（ＲＡＩＤ）サブシステムにも広く適用することができる。また、データ移行後の移行元ディスクを、スイッチあるいはディスクアレイサブシステムが使用するデータの格納に転用することも可能である。
【００４１】
【発明の効果】
本発明のディスク装置のデータ移行方法によれば、旧ディスク装置から新ディスク装置へのデータ移行中および移行後も、ホストは旧ディスクが接続されていると認識するので、ホストのディスク定義の変更が不要であり、ホスト上の業務を継続できる、という効果が得られる。
【００４２】
また、ホストと旧ディスク装置を冗長性のある複数のアクセス経路で接続したシステムに於いては、データ移行手順に伴うホストからディスク装置へのアクセスの停止が一切必要なく、また、データ移行後もホストは複数のアクセス経路を継続的に使用できるので、アクセス無停止でデータ移行ができ、また、アクセス経路の耐障害性も維持される、という効果がある。
【００４３】
また、複数のホストが旧ディスクを共用するクラスタシステムにおいては、ディスク装置の排他情報も移行するので、クラスタを維持したまま無停止で円滑なデータ移行ができる、という効果がある。
【００４４】
また、データ移行後は、旧ディスクは他のデータを格納するために転用できる、という効果がある。
【図面の簡単な説明】
【図１】本発明に係わるデータ移行方法の実施の形態を説明するための計算機システムの構成図である。
【図２】本発明におけるスイッチをホスト計算機と移行元ディスク装置の間に挿入する過程を説明するための図である。
【図３】本発明におけるオンラインデータ移行処理中におけるデータの流れを説明するための図である。
【図４】本発明におけるオンラインデータ移行完了後のデータの流れを説明するための図である。
【図５】本発明におけるデータ移行の手順を説明するためのフローチャート図である。
【図６】本発明における移行元ディスク装置をスイッチに接続する操作手順を説明するためのフローチャート図である。
【図７】ＳＣＳＩコマンド種別テーブルを示す図である。
【図８】本発明におけるホスト計算機からのＳＣＳＩコマンドの種別が『ディスク固有』か否かを判定するためのフローチャート図である。
【図９】本発明の計算機システムにおける磁気ディスク装置の構成例を示す図である。
【符号の説明】
１…ホスト計算機、２…移行元ディスク装置、３、４…移行元ディスク装置のアクセス経路、３ａ、４ａ…ホスト計算機とスイッチ間のアクセス経路、３ｂ、４ｂ…移行元ディスク装置とスイッチ間のアクセス経路、５…スイッチ、６…移行先ディスク装置、７、８…移行先ディスク装置のアクセス経路、９…ホストインタフェース制御部、１０…Ｒｅｓｅｒｖｅ模擬部、１１…ＳＣＳＩコマンド制御部、１２…オンラインデータ移行部、１３、１４…ディスクインタフェース制御部、１５〜２０…ポート、２１〜２９…内部パス、３０、３１、３２、３４…ホスト計算機と移行元ディスク装置と間のＳＣＳＩデータ経路、３３…オンラインデータ移行処理のＳＣＳＩデータ経路、３５…ホスト計算機と移行先ディスク装置との間のＳＣＳＩデータ経路、７０…ＳＣＳＩコマンド種別テーブル、７１…ＳＣＳＩオペレーションコード、７２…ページコード、７３…コマンド名、７４…ＳＣＳＩコマンドの種別、２０１…移行元ディスク装置に固有な情報、２０２…メモリ、２０３…ポート制御部、２０４…ＣＰＵ、２０５…ディスク制御部、２１０…ディスクユニット、２１１…ディスク、６０１…移行先ディスク装置に固有な情報、６０２…メモリ、６０３…ポート制御部、６０４…ＣＰＵ、６０５…ディスク制御部、６１０…ディスクユニット、６１１…ディスク。
【図１】
2005018193.tif 000003
【図２】
2005018193.tif 000004
【図３】
2005018193.tif 000005
【図４】
2005018193.tif 000006
【図５】
2005018193.tif 000007
【図６】
2005018193.tif 000008
【図７】
2005018193.tif 000009
【図８】
2005018193.tif 000010
【図９】
2005018193.tif 000011